(57)【要約】【課題】電力低下により通信機能が切断されることを回避する。【解決手段】外部から電力を供給される通信機器であって、送信電力要求値に応じて送信した履歴の情報を記憶する記憶部と、外部からの送信電力要求値に応じて送信を行う場合に、記憶部に送信履歴情報が記憶されている送信電力に基づいて送信電力を制御する制御部とを備え、記憶部に送信電力要求値に基づく前記送信履歴情報が記憶されていない場合、制御部は、最大消費電力許容範囲内において送信電力制御を行うとともに、この制御時の送信履歴情報を記憶部に記憶する。【選択図】図１
2007174262.tif 000002
【特許請求の範囲】
【請求項１】
外部から電力を供給される通信機器であって、
送信電力要求値に応じて送信した履歴の情報を記憶する記憶部と、
外部からの送信電力要求値に応じて送信を行う場合に、前記記憶部に送信履歴情報が記憶されている送信電力値に基づいて送信電力を制御する制御部と
を備えたことを特徴とする通信機器。
【請求項２】
前記送信履歴情報は、前記送信電力要求値に基づいて送信電力を制御する前の送信電力値と、前記送信電力要求値との関連付け毎に、正常に送信が行われたことを示す情報であることを特徴とする請求項１に記載の通信機器。
【請求項３】
前記履歴情報は、通信終了時に電力供給元の電子機器に備えられた記憶手段に書き込むことを特徴とする請求項１または２に記載の通信機器。
【請求項４】
前記履歴情報は、通信開始時に電力供給元の電子機器に備えられた記憶手段から読み込むことを特徴とする請求項１から３のいずれか一項に記載の通信機器。
【請求項５】
外部から電力を供給される通信機器における送信電力制御方法であって、
送信電力要求値に応じて送信した履歴の情報を記憶する記憶ステップと、
外部からの送信電力要求値に応じて送信を行う場合に、前記記憶ステップにより送信履歴情報が記憶された送信電力に基づいて送信電力を制限する制御を行う制御ステップと
を有することを特徴とする送信電力制御方法。
【請求項６】
送信電力要求値に基づく前記送信履歴情報が記憶されていない場合、
前記制御ステップは、最大消費電力許容範囲内において送信電力制御を行うとともに、該制御時の送信履歴情報を記憶することを特徴とする請求項５に記載の送信電力制御方法。
【請求項７】
前記送信履歴情報は、前記送信電力要求値に基づいて送信電力を制御する前の送信電力値と、前記送信電力要求値との関連付け毎に、正常に送信が行われたことを示す情報であることを特徴とする請求項５または６に記載の送信電力制御方法。
【請求項８】
前記履歴情報は、通信終了時に電力供給元の電子機器に備えられた記憶手段に書き込むことを特徴とする請求項５から７のいずれか一項に記載の送信電力制御方法。
【請求項９】
前記履歴情報は、通信開始時に電力供給元の電子機器に備えられた記憶手段から読み込むことを特徴とする請求項５から８のいずれか一項に記載の送信電力制御方法。
【発明の詳細な説明】
【技術分野】
【０００１】
本発明は、送信電力が基地局から制御される通信方式を用いた通信機器及び送信電力制御方法に関する。
【背景技術】
【０００２】
近年携帯電話システムにおいてデータ通信の需要が高まっていることから、ＰＣカード型のデータ専用通信端末が使用されている。携帯電話型の端末は内蔵した電池から電源供給されることにより動作するが、ＰＣカード型端末はサイズの制約等から内部に電池等の電源を持たず、ＰＣ（パソコン）等のホスト機器から電源供給を受けるのが一般的である。ノート型ＰＣや携帯情報端末（ＰＤＡ）等に備えられているＰＣカードのカードスロットは、信号や電源供給等の電気的特性やサイズ等の機構的特性は規格化されており、ＰＣカード型の通信端末もこの規格に準拠している。電源供給の規格としては、例えば３２ｂｉｔカード（ＣＡＲＤＢＵＳ）では３．３Ｖ±０．３Ｖ、最大１Ａが規定されている。
【０００３】
近年の高速なデータ通信速度に対応した無線通信方式でかつ、無線ＬＡＮ等と異なり広域での使用を前提としたセルラシステムでは高速なＣＰＵ等のベースバンドプロセッサや２０ｄＢｍ（１００ｍＷ）以上の最大送信出力が求められるため消費電力が多くなっている。例えばＣＤＭＡ２０００  １ｘ方式やＣＤＭＡ２０００  １ｘＥＶ−ＤＯ方式で最大送信電力２３ｄＢｍの機種では最大出力送信時の消費電流が１Ａ前後となる場合がある。ＣＤＭＡ２０００  １ｘ方式のように、端末の送信出力が基地局から制御される通信方式における端末は必要最小限の送信出力で通信を行うために、端末が基地局の近傍に存在する場合は小出力で送信を行い、端末が基地局から離れると大出力で送信を行うようになっている。このため端末が基地局から離れた場合は消費電流が増大する。
【０００４】
一方、市場で販売されているカードスロットを有するノート型ＰＣの中には電池での動作時間を優先し、カードスロットの供給電圧が規格値よりも低かったり、１Ａ程度の大電流時に供給電圧が規格値よりも低下してしまう場合がある。このため、ノート型ＰＣのカードスロットから電源供給を受けて動作するＰＣカードにおいて、最大出力で送信を行ったときに大電流が流れることによりＰＣカードスロットの電圧が降下し、ＰＣカード端末の動作電圧範囲を下回ってしまい動作が不安定になったり、電圧降下によるリセットが発生するなどして通信が継続できなくなる場合がある。また、段階的に出力をあげる場合は問題ないが、瞬間的に出力を上げた場合には電流値が仕様の値を超えてしまう不具合が生じる場合もある。
【０００５】
このような問題を解決するために、従来は以下の（１）〜（４）に示す対策等が講じられてきた。
（１）ＰＣカードメーカが市販のノート型ＰＣ等を対象にＰＣカード製品との互換性（相性）試験を実施し、動作確認機種のリストを開示する。
（２）ユーザが自分でノート型ＰＣとＰＣカードの動作確認を行う。
（３）送信電力に対する消費電力を低い送信電力の領域内において複数点測定を行い、それより最大送信電力に対する消費電力を推定して制御する方法がある。
（４）情報処理機器の内蔵電源の残量の低下に対応して無線信号の送信電力を段階的に低減する（例えば、特許文献１参照）。
【特許文献１】特開２００３−３４７９４３号公報
【発明の開示】
【発明が解決しようとする課題】
【０００６】
しかしながら、動作確認機種のリストを参照する方法は、動作確認リストに載っていないノート型ＰＣのユーザがＰＣカードを使用可能か否かは自分で実際に試してみないと分からない。そして、試した結果動作しなかった場合はノート型ＰＣの他の電源供給可能ポート（ＵＳＢ、ＰＳ／２ポート等）と接続する電源供給ケーブルやＡＣアダプタを接続する等の対策が必要であり、これらの対策が用意されていないＰＣカードでは動作させることができないという問題がある。また、最大送信電力に対する消費電力を推定する方法は、推定結果より最大送信電力に制限をかけることから、定常状態では問題なくともＲＦデバイスへの電源オン時などの過渡的な状態における電流の増大により、無線通信端末がリセットされてしまうことも考えられる。さらにリセットされた履歴が残っていないことから、リセットが発生する送信電力を再び出力してしまうことにより、何度もリセットされてしまう可能性があるという問題がある。
【０００７】
また、電源残量の低下に対応して送信電力を低減させる特許文献１に記載の方法は、送信出力による消費電流に対応して起こる電圧降下を対象としたものではなく、電池消費による経時的な電圧降下を前提としている。このため、消費電流によって供給電圧が降下する場合を想定しておらず、通信開始時や移動中の通信で基地局との間に遮蔽物が入り送信出力の増大が必要になった場合などのように急激に送信出力が大になった場合の急激な電圧降下の対策としては不十分であるという問題ある。特に送信電力が基地局から制御される通信方式においては、送信開始をする場合に基地局からの応答があるまで段階的に送信電力を高めていくという動作を行うため、必要以上に高い電力で送信を開始してしまうことも考えられ、急激な電圧降下の対策が必要である。
【０００８】
本発明は、このような事情に鑑みてなされたもので、電力供給元から供給される供給電力範囲内で、最適でかつ確実な通信機能を提供することできる通信機器及び送信電力制御方法を提供することを目的とする。
【課題を解決するための手段】
【０００９】
本発明は、外部から電力を供給される通信機器であって、送信電力要求値に応じて送信した履歴の情報を記憶する記憶部と、外部からの送信電力要求値に応じて送信を行う場合に、前記記憶部に送信履歴情報が記憶されている送信電力に基づいて送信電力を制御する制御部とを備えたことを特徴とする。
【００１０】
本発明は、前記送信履歴情報は、前記送信電力要求値に基づいて送信電力を制御する前の送信電力値と、前記送信電力要求値との関連付け毎に、正常に送信が行われたことを示す情報であることを特徴とする。
【００１１】
本発明は、前記履歴情報は、通信終了時に電力供給元の電子機器に備えられた記憶手段に書き込むことを特徴とする。
【００１２】
本発明は、前記履歴情報は、通信開始時に電力供給元の電子機器に備えられた記憶手段から読み込むことを特徴とする。
【００１３】
本発明は、外部から電力を供給される通信機器における送信電力制御方法であって、送信電力要求値に応じて送信した履歴の情報を記憶する記憶ステップと、外部からの送信電力要求値に応じて送信を行う場合に、前記記憶ステップにより送信履歴情報が記憶されてた送信電力に基づいて送信電力を制限する制御を行う制御ステップとを有することを特徴とする。
【００１４】
本発明は、送信電力要求値に基づく前記送信履歴情報が記憶されていない場合、前記制御ステップは、最大消費電力許容範囲内において送信電力制御を行うとともに、該制御時の送信履歴情報を記憶することを特徴とする。
【００１５】
本発明は、前記送信履歴情報は、前記送信電力要求値に基づいて送信電力を制御する前の送信電力値と、前記送信電力要求値との関連付け毎に、正常に送信が行われたことを示す情報であることを特徴とする。
【００１６】
本発明は、前記履歴情報は、通信終了時に電力供給元の電子機器に備えられた記憶手段に書き込むことを特徴とする。
【００１７】
本発明は、前記履歴情報は、通信開始時に電力供給元の電子機器に備えられた記憶手段から読み込むことを特徴とする。
【発明の効果】
【００１８】
本発明によれば、電力供給元から供給される供給電力範囲内で、最適でかつ確実な通信機能を提供することできるため、電力低下により通信機能がリセットされることを回避することができるという効果が得られる。
【発明を実施するための最良の形態】
【００１９】
以下、本発明の一実施形態による通信機器を図面を参照して説明する。図１は同実施形態の構成を示すブロック図である。ここでは、通信機器としてＰＣカード型無線通信端末を例として説明する。この図において、符号Ｃは、基地局からの要求値に基づいて送信電力を可変に制御可能なＣＤＭＡ２０００  １ｘＥＶ−ＤＯ方式の３２ｂｉｔＰＣカード型通信端末（以下、カード端末と称する）である。ここでは、カード端末Ｃの動作可能電圧を３Ｖとして説明する。符号Ｐは、カード端末Ｃを挿入するカードスロット２１と、設定履歴及び送信履歴テーブルを記憶するテーブル記憶部２２を備えるパソコンである。符号１は、カード端末Ｃの処理動作を統括して制御する制御部であり、１ｘＥＶ−ＤＯ方式のベースバンド処理を行うベースバンド１ａを備えている。符号２は、送信データに対して符号化及び変調の処理を施した送信信号を送信する送信部である。符号３は、受信した受信信号に対して復調及び復号処理を施して受信データを復元する受信部である。符号４は、送信と受信を分配する分配部である。符号５は、アンテナである。符号６は、基地局からの要求値に基づいて、送信部２における送信電力を制御する送信電力制御部である。符号７は、少なくとも設定履歴及び送信履歴テーブルを記憶する記憶部である。符号８は、パソコンＰとの間でデータの授受を行うカードバスＵＳＢブリッジである。符号９は、パソコンＰから供給される電源電力をカード端末Ｃの各部に供給する電源回路である。符号１０は、パソコンＰから供給される電源の電流値を測定する消費電流測定部である。符号１１は、消費電流測定部１０における電流値測定を制御する電流測定制御部である。符号１２は、カード端末Ｃ内の電源線と信号線とをパソコンＰのカードスロット２１に接続するためのコネクタである。
【００２０】
ここで、図３〜図６を参照して、図１に示す記憶部７及びテーブル記憶部２２に記憶される設定履歴テーブル及び送信履歴テーブルのテーブル構造とテーブルに書き込まれる値について説明する。図３〜図６において（ａ）は、設定履歴テーブルのテーブル構造を示す図であり、（ｂ）は、送信履歴テーブルのテーブル構造を示す図である。設定履歴テーブル及び送信履歴テーブルは、それぞれ「基地局からの要求送信出力」の値と、基地局から要求を受けた時点の「送信出力」の値が関係付けられて記憶される。それぞれのテーブル内の値は、「０」または「１」が記憶され、「０」は、設定または送信の履歴が無い状態、「１」は設定または送信の履歴が有る状態を示している。例えば、基地局から要求を受けた時点の送信出力が５ｄＢｍであるときに、基地局から１０ｄＢｍへ送信出力を上げる要求を受けた場合に、設定履歴テーブルの「送信出力」が「５」と「基地局からの要求送信出力」が「１０」とが交わる欄に「１」が書き込まれる。そして、送信出力を５ｄＢｍから１０ｄＢｍへ増加させて送信した実績がある（問題なく送信できた）場合に、送信履歴テーブルの「送信出力」が「５」と「基地局からの要求送信出力」が「１０」とが交わる欄に「１」が書き込まれる。
【００２１】
図３は、初期状態の設定履歴テーブル及び送信履歴テーブルを示しており、値の全てが「０」になっている。この状態で現時点の送信出力が１０ｄＢｍであり１９ｄＢｍへ送信出力の増加を要求されたとすると、送信出力を増加される前に設定履歴の欄に「１」を記録する。そして増加させた送信出力により正常に出力できた場合、送信履歴の欄に「１」を記録する。次に１０ｄＢｍから１９ｄＢｍへの増加が可能であったということから、１０ｄＢｍから１７ｄＢｍへの増加や、１７ｄＢｍから１９ｄＢｍへの増加が突入電力を考慮しても可能であることから、これら全ての設定履歴欄と送信履歴欄ともに「１」を記録すると、図４（ａ）、（ｂ）に示す状態となる。
【００２２】
次に、設定履歴テーブル及び送信履歴テーブルが図４に示す状態であるときに、現時点が１０ｄＢｍであり２２ｄＢｍへ送信出力の増加を要求されたとする。１０ｄＢｍから２２ｄＢｍへの増加は設定履歴が無いため、まず設定履歴テーブルの欄に「１」を記録して送信出力を増加させる。ここで、消費電力がパソコンの仕様の値を超えてしまいカード端末Ｃがリセットされたとすると、設定履歴テーブルの欄のみが「１」となり、送信履歴テーブルの欄は「０」のままとなる。カード端末Ｃが再起動した後もこの履歴は残っているため、再度１０ｄＢｍから２２ｄＢｍへ送信出力の増加が要求された場合においては送信出力を２２ｄＢｍ以下に、この場合は２１ｄＢｍに抑えるように制御する。同時に、１０ｄＢｍから２２ｄＢｍと送信出力を増加させると仕様の値を超えることから、１０から２３ｄＢｍ、１０から２４ｄＢｍ、５から２２ｄＢｍなどとした場合においても同様に仕様の値を超える可能性が高いことから、これらについても図５に示すように設定履歴テーブルの欄のみに「１」と記録し、送信出力を増加させないように制御する。
【００２３】
次にテーブルが図６に示す状態であるときに、現時点の送信出力が１０ｄＢｍで２３ｄＢｍへ送信出力の増加を要求されたとすると、２３ｄＢｍへの設定履歴はあるが送信履歴が無いため、２３ｄＢｍへ増加させることは不可であり、２２ｄＢｍへも設定履歴があり送信履歴が無いため不可、２１ｄＢｍへも同様に不可のため、送信履歴が「１」である２０ｄＢｍへ送信出力を増加させるように制御する。また現時点の送信出力が１５ｄＢｍで２３ｄＢｍへ送信出力の増加を要求されたとすると、２３ｄＢｍの設定履歴はあるが送信履歴は無いため不可である。２２ｄＢｍへは設定履歴が無いため、送信出力を２２ｄＢｍへ設定して送信を試みる。
【００２４】
このように、設定履歴テーブルは、基地局からの要求に基づいて、送信出力を増加させる動作を試みた場合に「１」が記録されることになり、送信履歴テーブルは、基地局からの要求に基づいて、送信出力を増加させて問題なく送信ができた場合に「１」が記憶されることになる。制御部１は、送信出力を増加させるときに、この設定履歴テーブル及び送信履歴テーブルを参照して、リセットが発生しないように送信出力の制御を行う。
【００２５】
次に、図２を参照して、図１に示すカード端末Ｃにおける送信電力を制御する動作を説明する。ユーザが、カード端末ＣをパソコンＰのカードスロット２１に挿入すると、電源回路部９からカード端末Ｃ内の各部に電源が供給されてオン状態となる（ステップＳ１）。制御部１は、オン状態となると、パソコンＰのテーブル記憶部２２に保存してある設定履歴テーブル及び送信履歴テーブルを読み込み、記憶部７へ書き込む（ステップＳ２）。続いて、制御部１は、記憶部７に書き込んだ設定履歴テーブルの各欄に記録されている値が全て「１」であるか否かに基づいて、設定履歴テーブル及び送信履歴テーブルが完成しているか否かを判定する（ステップＳ３）。この判定の結果、設定履歴テーブル及び送信履歴テーブルが完成している場合、制御部１は、送信履歴テーブルに記録されている値に基づいて、送信電力制御部６に対する送信出力制御を行いながら送信を実施し（ステップＳ２３）、通信が終了するまで送信出力制御を繰り返し実行する（ステップＳ１６）。
【００２６】
一方、設定履歴テーブル及び送信履歴テーブルが完成していない場合、制御部１は、基地局からの要求に基づいて、送信動作を開始する（ステップＳ４）。そして、基地局から送信出力の増加要求を受信すると（ステップＳ５）、制御部１は、送信電力制御部６から現時点の送信電力測定値を取得する（ステップＳ６）。制御部１は、記憶部７の設定履歴テーブルを参照して、現時点の送信電力から基地局の要求送信電力へ増加させた設定履歴があるか否かを判定する（ステップＳ７）。この判定の結果、設定履歴が無かった場合、制御部１は、今回の設定値を記憶部７の設定履歴テーブルに記録する（ステップＳ８）。
【００２７】
次に、制御部１は、送信電力制御部６に対して、基地局から要求された出力に送信電力を増加させる指示を出力する。これを受けて、送信電力制御部６は、送信部２における送信出力の増加させるための電力制御を実施する（ステップＳ９）。ここで、送信電力を増加させたときに突入電流などによりカード端末Ｃがリセットされて、再起動（ステップＳ２５）した場合でも記憶部７の設定履歴テーブルに設定履歴のみが残ることとなる。
【００２８】
一方、カード端末Ｃがリセットされずに送信が継続している場合（ステップＳ１０）、制御部１は、電流測定制御部１１を介して、消費電流測定部１０において測定された最大瞬間消費電力を取得し、パソコンＰとのインタフェースの仕様で決められている値（この場合はＰＣＭＣＩＡカードのスペックである１Ａ）以内であったか否かを判定する（ステップＳ１１）。仕様値以内であった場合、制御部１は、送信履歴テーブルの送信履歴に「１」を記録する（ステップＳ１２）。そして、今回の設定値より低い出力値の設定履歴及び送信履歴に「１」を記録する（ステップＳ１３）。最大瞬間消費電力が仕様値以内でない場合、制御部１は、送信履歴を記録せずに、定常的にも消費電力が仕様値を超えていれば、仕様値以内になるように送信電力を下げるように、送信電力制御部６に対して指示する（ステップＳ１４）。そして、制御部１は、送信電力制御を終了し（ステップＳ１５）、通信が終了したか否かを判定し（ステップＳ１６）、通信が終了していない場合はステップＳ３に戻り、前述した処理動作を続行する。
【００２９】
ステップＳ７の判定の結果、設定履歴があった場合、制御部１は、記憶部７の送信履歴テーブルを参照して、今回の設定値の送信履歴があるか否かを判定する（ステップＳ１７）。この判定の結果、送信履歴が無かった場合、制御部１は、今回の設定値より高い出力の設定履歴のみに「１」を記録する（ステップＳ１８）。次に、制御部１は、現時点の設定値よりも低い送信電力設定値の設定履歴が「０」である欄があるか否かを判定し（ステップＳ１９）、「０」である欄があった場合、すなわち未だ設定した実績が無い設定値があった場合には設定した実績がない設定値の中での最大値の送信電力を設定し（ステップＳ２０）、ステップＳ８に移行する。
【００３０】
一方、「０」である欄が無かった場合、すなわち現時点の送信電力に対する設定履歴が「０」である設定値が無い場合、送信履歴が「１」である設定値に送信電力を設定して送信出力を増加させ（ステップＳ２１）ステップＳ１５へ移行する。また、ステップＳ１７において、設定履歴があった場合、基地局から要求された送信出力に増加させて（ステップＳ２２）、ステップＳ１５へ移行する。そして、通信が終了した時点で、制御部１は、記憶部７に記憶されている設定履歴テーブル及び送信履歴テーブルをパソコンＰのテーブル記憶部２２へ書き込む（ステップＳ２４）。
【００３１】
このように、カード端末Ｃが挿入されるパソコン等のホスト機器において利用できる最大送信出力を求め、その範囲内でカード端末Ｃが動作させるようにしたため、カードスロットの供給電源能力が不十分であり従来の方法では大電流を消費するカード端末Ｃが動作しない場合がある小型のノート型ＰＣ等でも確実に動作させることが可能になる。また、過渡状態における消費電力を実際に測定して仕様値を超えないように電力変動量を制限し、万が一リセットされた場合もその履歴を残しておき、リセットが発生した送信電力での送信を制限するようにしたため、再びリセットされることを抑制することが可能となる。また、対処できない瞬間的な大電力送信による瞬間的な電源電圧の降下にも最大送信出力を制限することにより電圧降下がカード端末Ｃの動作可能電圧範囲に収まるように制御するようにしたため、カード端末Ｃの動作異常やシャットダウン、通信断を防ぐことが可能になる。
【００３２】
なお、設定履歴テーブル及び送信履歴テーブルは、カード端末Ｃの機種を特定することができる機種識別情報を関連つけてテーブル記憶部２２に記憶しておき、制御部１は、自己のカード端末Ｃの機種を特定する機種識別情報が関連つけられている設定履歴テーブル及び送信履歴テーブルを読み込み、記憶部７に書き込むようにしてもよい。また、制御部１は、自己のカード端末Ｃの機種を特定する機種識別情報を関連つけて、更新された設定履歴テーブル及び送信履歴テーブルをテーブル記憶部２２に書き込むようにしてもよい。このようにすることにより、機種が異なるカード端末の設定履歴テーブル及び送信履歴テーブルによって送信出力の制御が行われることを防止することができる。また、新規購入した同機種の他のカード端末を挿入した場合に、既に更新済みの設定履歴テーブル及び送信履歴テーブルを参照して、送信出力の制御を行うことが可能になるため、安定した動作を提供することが可能となる。
【００３３】
以上説明したように、通信途中においてカード端末がリセットされた場合においてもその履歴情報が残るため、同じ送信電力が要求された場合に送信履歴に基づいて送信を行わないように制御し、リセットされる可能性が高い要求値の送信が行われること無くすことができるため、カード端末がリセットされてしまう回数を大幅に減らすことができる。また、設定履歴及び送信履歴のテーブルをパソコンＰ側に保存するようにして、カード端末ＣをＰＣカードスロットに挿入したときに設定履歴及び送信履歴のテーブルをパソコンＰから読み込み、通信終了時に新たに更新された設定履歴及び送信履歴のテーブルをパソコンＰ側に書き込むようにしたため、カード端末Ｃ内に使用したパソコンの数だけのテーブルを保存する必要がなくなりカード端末Ｃ内の限られたメモリ容量を有効に活用することができる。
【００３４】
なお、図１における処理部の機能を実現するためのプログラムをコンピュータ読み取り可能な記録媒体に記録して、この記録媒体に記録されたプログラムをコンピュータシステムに読み込ませ、実行することにより送信電力制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３６】
【図１】本発明の一実施形態の構成を示すブロック図である。
【図２】図１に示すカード端末Ｃの動作を示すフローチャートである。
【図３】図１に示す記憶部７に記憶される設定履歴テーブル及び送信履歴テーブルのテーブル構造を示す説明図である。
【図４】図１に示す記憶部７に記憶される設定履歴テーブル及び送信履歴テーブルのテーブル構造を示す説明図である。
【図５】図１に示す記憶部７に記憶される設定履歴テーブル及び送信履歴テーブルのテーブル構造を示す説明図である。
【図６】図１に示す記憶部７に記憶される設定履歴テーブル及び送信履歴テーブルのテーブル構造を示す説明図である。
【符号の説明】
【００３７】
Ｃ・・・カード端末、１・・・制御部、１ａ・・・ベースバンド部、２・・・送信部、３・・・受信部、４・・・分配部、５・・・アンテナ、６・・・送信電力制御部、７・・・記憶部、８・・・カードバスＵＳＢブリッジ、９・・・電源回路部、１０・・・消費電流測定部、１１・・・電流測定制御部、１２・・・コネクタ、Ｐ・・・パソコン、２１・・・カードスロット、２２・・・テーブル記憶部
【図１】
2007174262.tif 000003
【図２】
2007174262.tif 000004
【図３】
2007174262.tif 000005
【図４】
2007174262.tif 000006
【図５】
2007174262.tif 000007
【図６】
2007174262.tif 000008